(57)【要約】【課題】打球音への悪影響を抑制しつつ重心位置を変更可能なウッド型ゴルフクラブヘッドおよびウッド型ゴルフクラブを提供する。【解決手段】ヘッド１は、打球面を有するフェース部１１と、フェース部１１に接続されたソール・サイド部１４と、フェース部１１に接続され、ソール・サイド部１４の上部を覆うクラウン部と、ソール・サイド部１４に形成された案内溝２０と、案内溝２０に沿って移動可能なように案内溝２０に取り付けられた重量体とを備えている。そして、ヘッド１の内部には、ソール・サイド部１４を構成する壁面から突出し、案内溝２０を構成する壁面に接続されたフロントリブ７１、トゥリブ７２、バックリブ７３、ソールリブ７４およびヒールリブ７５が形成されている。【選択図】図５
2011010722.tif 000002
【特許請求の範囲】
【請求項１】
打球面を有するフェース部と、
前記フェース部に接続されたソール・サイド部と、
前記フェース部に接続され、前記ソール・サイド部の上部を覆うクラウン部と、
前記ソール・サイド部に形成された案内溝と、
前記案内溝に沿って移動可能なように前記案内溝に取り付けられた重量体とを備えた中空形状のウッド型ゴルフクラブヘッドであって、
前記ウッド型ゴルフクラブヘッドの内部には、前記ソール・サイド部を構成する壁面から突出し、前記案内溝を構成する壁面に接続されたリブが形成されている、ウッド型ゴルフクラブヘッド。
【請求項２】
前記リブは、前記案内溝を構成する壁面と、前記フェース部を構成する壁面、または前記ソール・サイド部と前記クラウン部との境界を構成する壁面とを接続するように形成されている、請求項１に記載のウッド型ゴルフクラブヘッド。
【請求項３】
前記リブは、延在方向において凹形状を有している、請求項１または２に記載のウッド型ゴルフクラブヘッド。
【請求項４】
前記リブは、前記案内溝を構成する壁面との接続部において、前記案内溝を構成する壁面と同じ高さを有している、請求項１〜３のいずれか１項に記載のウッド型ゴルフクラブヘッド。
【請求項５】
前記リブは、前記案内溝の長手方向の端部を構成する壁面に接続されている、請求項１〜４のいずれか１項に記載のウッド型ゴルフクラブヘッド。
【請求項６】
前記リブは複数個形成されている、請求項１〜５のいずれか１項に記載のウッド型ゴルフクラブヘッド。
【請求項７】
請求項１〜６のいずれか１項に記載のウッド型ゴルフクラブヘッドを備えた、ウッド型ゴルフクラブ。
【発明の詳細な説明】
【技術分野】
【０００１】
本発明は、ウッド型ゴルフクラブヘッドおよびウッド型ゴルフクラブに関し、より特定的には、打球音への悪影響を抑制しつつ重心位置を変更可能なウッド型ゴルフクラブヘッドおよびウッド型ゴルフクラブに関するものである。
【背景技術】
【０００２】
現在、ウッド型のゴルフクラブは、使用者のプレースタイル等に合わせて種々の特性を有するものが提供されている。しかし、これらの一般的なゴルフクラブが備えるゴルフクラブヘッドにおいては、購入後においてその特性を調整することが困難であり、購入後に使用者が所望の特性に調整可能なゴルフクラブヘッドが求められていた。
【０００３】
これに対し、ゴルフクラブヘッドのソール部やサイド部（以下、本願においては、ソール部とサイド部との境界が不明瞭なものを含めて「ソール・サイド部」と称する）に円弧状の溝を形成し、当該溝に沿って移動可能なように重量体を設置したゴルフクラブヘッドが提案されている（たとえば、特許文献１参照）。このようなゴルフクラブヘッドによれば、使用者は当該重量体の位置を変更することにより、購入後においてもゴルフクラブヘッドの重心位置を変更し、ゴルフクラブヘッドの特性を所望の特性に調整することが可能となる。
【先行技術文献】
【特許文献】
【０００４】
【特許文献１】特開２００８−１９４４５４号公報
【発明の概要】
【発明が解決しようとする課題】
【０００５】
しかしながら、本発明者による検討の結果、上述のようなソール・サイド部への溝の形成は、打球音の心地よさに悪影響を与えることが明らかとなった。そこで、本発明の目的は、打球音への悪影響を抑制しつつ重心位置を変更可能なウッド型ゴルフクラブヘッドおよびウッド型ゴルフクラブを提供することである。
【課題を解決するための手段】
【０００６】
本発明に従ったウッド型ゴルフクラブヘッドは、打球面を有するフェース部と、フェース部に接続されたソール・サイド部と、フェース部に接続され、ソール・サイド部の上部を覆うクラウン部と、ソール・サイド部に形成された案内溝と、案内溝に沿って移動可能なように案内溝に取り付けられた重量体とを備えた中空形状のウッド型ゴルフクラブヘッドである。そして、当該ウッド型ゴルフクラブヘッドの内部には、ソール・サイド部を構成する壁面から突出し、案内溝を構成する壁面に接続されたリブが形成されている。
【０００７】
上記ウッド型ゴルフクラブヘッドにおいては、上記リブは、案内溝を構成する壁面と、フェース部を構成する壁面、またはソール・サイド部とクラウン部との境界を構成する壁面とを接続するように形成されていてもよい。
【０００８】
また、上記ウッド型ゴルフクラブヘッドにおいては、上記リブは、延在方向において凹形状を有していてもよい。
【０００９】
また、上記ウッド型ゴルフクラブヘッドにおいては、上記リブは、案内溝を構成する壁面との接続部において、案内溝を構成する壁面と同じ高さを有していてもよい。
【００１０】
また、上記ウッド型ゴルフクラブヘッドにおいては、上記リブは、案内溝の長手方向の端部を構成する壁面に接続されていてもよい。
【００１１】
また、上記ウッド型ゴルフクラブヘッドにおいては、上記リブは複数個形成されていてもよい。
【００１２】
本発明に従ったウッド型ゴルフクラブは、上記本発明のウッド型ゴルフクラブヘッドを備えている。
【発明の効果】
【００１３】
上記本発明のウッド型ゴルフクラブヘッドにおいては、ソール・サイド部に案内溝が形成されるとともに、当該案内溝に沿って移動可能なように重量体が取り付けられていることにより、重心位置が変更可能となっている。そして、当該ゴルフクラブヘッドの内部において、ソール・サイド部を構成する壁面から突出し、案内溝を構成する壁面に接続されたリブが形成されていることにより、案内溝の形成に伴う打球音への悪影響を抑制することができる。その結果、本発明のウッド型ゴルフクラブヘッドによれば、打球音への悪影響を抑制しつつ重心位置を変更可能なウッド型ゴルフクラブヘッドを提供することができる。
【００１４】
また、本発明のウッド型ゴルフクラブは、上述のようなウッド型ゴルフクラブヘッドを備えている。そのため、本発明のウッド型ゴルフクラブによれば、打球音への悪影響を抑制しつつ重心位置を変更可能なウッド型ゴルフクラブを提供することができる。
【図面の簡単な説明】
【００１５】
【図１】ウッド型ゴルフクラブの構成を示す概略図である。
【図２】図１のウッド型ゴルフクラブのヘッドをクラウン部側から見た概略平面図である。
【図３】図１のウッド型ゴルフクラブのヘッドをフェース部側から見た概略平面図である。
【図４】図１のウッド型ゴルフクラブのヘッドをソール部側から見た概略平面図である。
【図５】図１のウッド型ゴルフクラブのヘッドの内部の構造を示す概略図である。
【図６】図１のウッド型ゴルフクラブのヘッドの内部の構造を示す概略図である。
【図７】トゥリブの形状を示す概略図である。
【図８】バックリブの形状を示す概略図である。
【図９】トゥリブ付近においてヘッドを切断した状態を示す概略図である。
【図１０】実施の形態２におけるウッド型ゴルフクラブのヘッドの内部の構造を示す概略図である。
【図１１】実施の形態２におけるウッド型ゴルフクラブのヘッドの内部の構造を示す概略図である。
【図１２】比較例Ａの打球音の分析結果を示す図である。
【図１３】実施例Ｄの打球音の分析結果を示す図である。
【図１４】実施例Ｃの打球音の分析結果を示す図である。
【図１５】実施例Ｂの打球音の分析結果を示す図である。
【図１６】実施例Ａの打球音の分析結果を示す図である。
【図１７】実施例２における解析の対象としたウッド型ゴルフクラブのヘッドの内部の構造を示す概略図である。
【図１８】実施例２における解析結果を示す図である。
【図１９】好ましいリブの形状を示す図である。
【図２０】第１の変形例におけるヘッドの構造を示す概略図である。
【図２１】第２の変形例におけるヘッドの構造を示す概略図である。
【図２２】第３の変形例におけるヘッドの構造を示す概略図である。
【図２３】第４の変形例におけるヘッドの構造を示す概略図である。
【発明を実施するための形態】
【００１６】
以下、図面に基づいて本発明の実施の形態を説明する。なお、以下の図面において同一または相当する部分には同一の参照番号を付し、その説明は繰返さない。
【００１７】
（実施の形態１）
まず、本発明の一実施の形態である実施の形態１について説明する。図１を参照して、本実施の形態におけるウッド型ゴルフクラブであるゴルフクラブ９は、ウッド型ゴルフクラブヘッドとしてのヘッド１と、ヘッド１のホーゼル部１３に接続されたシャフト２と、シャフト２においてヘッド１に接続された側とは反対側の端部に配置されたグリップ部３とを備えている。そして、ゴルフクラブ９は、以下に説明する本実施の形態におけるヘッド１を備えていることにより、打球音への悪影響を抑制しつつ重心位置の変更による弾道の調整が可能なウッド型ゴルフクラブとなっている。
【００１８】
図２〜図４を参照して、ヘッド１は、打球面１１Ａを有するフェース部１１と、フェース部１１に接続され、案内溝２０が形成されたソール・サイド部１４と、フェース部１１に接続され、ソール・サイド部１４の上部を覆うように配置されたクラウン部１２と、シャフト２（図１参照）に接続されるべきホーゼル部１３と、案内溝２０に沿って移動可能なように案内溝２０に取り付けられた重量体４１とを備えている。さらに、案内溝２０は、バック側からフェース側に向けて延在する１対の主溝２１と、当該１対の主溝２１を接続する接続溝２２とを含んでいる。接続溝２２には、バック側に向けた開口であるスロット２３が形成されており、当該スロット２３から重量体４１を案内溝２０に入れることが可能となっている。また、スロット２３には、スロット２３を閉じるスロットキャップ３１が取り付けられている。さらに、接続溝２２は、１対の主溝２１が配置される側とは反対側に向けて凸形状を有している。そして、１対の主溝２１のそれぞれの長手方向における曲率は、接続溝２２の曲率よりも小さくなっている。
【００１９】
また、重量体４１は、ねじ４２により案内溝２０に取り付けられている。そして、ねじ４２を緩めることにより、重量体４１を案内溝２０に沿って移動させることが可能となっている。より具体的には、重量体４１には、重量体４１を貫通する貫通穴が形成されており、かつ当該貫通穴にはねじ４２に螺合可能なねじ溝が形成されている。そして、ねじ４２を締め付けることにより、ねじ４２の一部が案内溝２０の壁面に接触し、重量体４１が案内溝２０に対して固定されている。一方、ねじ４２を緩め、ねじ４２と案内溝２０の壁面とが離れることにより、重量体４１は案内溝２０に対して移動可能となる。そして、重量体４１を案内溝２０に沿って所望の位置にまで移動させ、再度ねじ４２を締め付けることにより、当該位置に重量体４１を固定することができる。このような構成により、本実施の形態におけるヘッド１の重心位置を調整することができる。
【００２０】
次に、本実施の形態におけるヘッド１の内部の構造について、図５および図６を参照して説明する。なお、図５および図６は、ヘッド１のクラウン部１２を除去することにより、ヘッド１の内部構造を表した図である。また、図５はバック側上方のヒール側寄りからヘッド１の内部を見た状態を示す図であり、図６はクラウン部の直上からヘッド１の内部を見た状態を示す図である。
【００２１】
図５および図６を参照して、ヘッド１の内部には、ソール・サイド部１４を構成する壁面から突出し、案内溝２０を構成する壁面に接続されたリブが形成されている。より具体的には、ヘッド１の内部には、フロントリブ７１と、トゥリブ７２と、バックリブ７３と、ソールリブ７４と、ヒールリブ７５とが配置されている。フロントリブ７１は、案内溝２０の長手方向の端部（主溝２１の、接続溝２２に接続される側とは反対側の端部）を構成する壁面のそれぞれと、フェース部１１を構成する壁面とを接続するように、一対形成されている。また、トゥリブ７２は、案内溝２０のトゥ側の領域（トゥ側に配置された主溝２１）と、当該領域に対向するソール・サイド部１４とクラウン部１２との境界とを接続するように配置されている。さらに、バックリブ７３は、案内溝２０のバック側の領域（接続溝２２）と、当該領域に対向するソール・サイド部１４とクラウン部１２との境界とを接続するように配置されている。また、ヒールリブ７５は、案内溝２０のヒール側の領域（ヒール側に配置された主溝２１）と、当該領域に対向するソール・サイド部１４とクラウン部１２との境界とを接続するように配置されている。そして、ソールリブ７４は、案内溝２０のトゥ側の領域（トゥ側に配置された主溝２１）とヒール側の領域（ヒール側に配置された主溝２１）とを接続するように形成されている。
【００２２】
本実施の形態のヘッド１においては、ソール・サイド部１４に案内溝２０が形成されるとともに、案内溝２０に沿って移動可能なように重量体４１が取り付けられていることにより、重心位置が変更可能となっている。そして、ヘッド１の内部において、ソール・サイド部１４を構成する壁面から突出し、案内溝２０を構成する壁面に接続されたリブが形成されていることにより、案内溝２０の形成に伴う打球音への悪影響が抑制されている。その結果、本実施の形態におけるヘッド１は、打球音への悪影響を抑制しつつ重心位置を変更可能なウッド型ゴルフクラブヘッドとなっている。
【００２３】
ここで、フロントリブ７１、トゥリブ７２、バックリブ７３およびヒールリブ７５のそれぞれは、ソール・サイド部１４を構成する壁面から突出し、案内溝２０を構成する壁面に接続されるように形成されることにより、案内溝２０の形成に伴う打球音への悪影響の抑制について一定の効果が得られるが、上述のように案内溝２０を構成する壁面と、フェース部１１を構成する壁面、またはソール・サイド部１４とクラウン部１２との境界を構成する壁面とを接続するように形成されていることが好ましい。これにより、案内溝２０の形成に伴う打球音への悪影響を一層有効に抑制することができる。
【００２４】
また、フロントリブ７１、トゥリブ７２、バックリブ７３、ソールリブ７４およびヒールリブ７５のそれぞれは、ソール・サイド部１４を構成する壁面から、当該壁面に交差する方向に突出する板状の形状を有していることにより、リブの形成に伴うヘッド１の質量の増加を抑制することができるが、上記リブは、図５に示すように、延在方向において凹形状を有していることが好ましい。より具体的には、図７に示すトゥリブ７２やおよび図８に示すバックリブ７３のように、リブにおいてヘッド１の内壁に沿って形成される縁部（たとえばトゥリブ縁部７２Ｃやバックリブ縁部７３Ｃ）の両端を結ぶ直線αを想定すると、リブにおいて縁部を接続するように形成される稜線部（たとえばトゥリブ稜線部７２Ｄやバックリブ稜線部７３Ｄ）は、直線αに対して縁部側に入り込むように湾曲して形成されている。これにより、案内溝２０の形成に伴う打球音への悪影響を抑制するという機能を十分に維持しつつ、一層の軽量化を図ることが可能となる。また、このようにすることにより、リブ自身が振動することによる打球音への悪影響を抑制することができる。
【００２５】
また、フロントリブ７１、トゥリブ７２、ソールリブ７４およびヒールリブ７５のそれぞれは、案内溝２０を構成する壁面と接続されていれば、案内溝２０の形成に伴う打球音への悪影響の抑制について一定の効果が得られるが、図５および図９に示すように、案内溝２０を構成する壁面との接続部において、案内溝２０を構成する壁面と同じ高さを有していることが好ましい。これにより、案内溝２０の形成に伴う打球音への悪影響を一層有効に抑制するとともに、リブの形成に伴うヘッド１の質量の増加を抑制することができる。
【００２６】
一方、上述のように、接続溝２２には、バック側に向けた開口であるスロット２３が形成されている。このスロット２３には、スロット２３を閉じるスロットキャップ３１が取り付けられているものの、スロットキャップ３１の着脱を容易にする観点から、スロットキャップ３１を構成する材料としては樹脂などの素材が採用され、スロットキャップ３１の剛性はヘッド１に比べて大幅に小さくなる場合が多い。この場合、スロット２３が形成された領域は、実質的に空間として機能するため、当該領域の剛性を著しく低下させる。そのため、図５および図６に示すように、スロット２３が形成された領域に対応する壁面に沿って上記バックリブ７３が形成されるとともに、当該バックリブ７３は、案内溝２０を幅方向に横断するように配置されることが好ましい。これにより、案内溝２０およびスロット２３の形成に伴う打球音への悪影響を一層有効に抑制することができる。
【００２７】
（実施の形態２）
次に、本発明の他の実施の形態である実施の形態２について説明する。実施の形態２におけるウッド型ゴルフクラブおよびウッド型ゴルフクラブヘッドは、基本的には実施の形態１の場合と同様の構成を有し、同様の効果を奏する。しかし、実施の形態２におけるウッド型ゴルフクラブおよびウッド型ゴルフクラブヘッドは、トゥリブ７２およびヒールリブ７５の構成において、実施の形態１の場合とは異なっている。
【００２８】
具体的には、図１０および図１１を参照して、実施の形態２におけるヘッド１の内部には、複数の（本実施の形態では２つの）トゥリブ７２と、複数の（本実施の形態では２つの）ヒールリブ７５とが形成されている。すなわち、トゥリブ７２は、第１トゥリブ７２Ａと、第１トゥリブ７２Ａから見てバック側に配置された第２トゥリブ７２Ｂとを含んでいる。また、ヒールリブ７５は、第１ヒールリブ７５Ａと、第１ヒールリブ７５Ａから見てバック側に配置された第２ヒールリブ７５Ｂとを含んでいる。このように、トゥリブ７２およびヒールリブ７５を、案内溝２０の延在方向において複数配置することにより、重量体４１の位置によらず、案内溝２０の形成に伴う打球音への悪影響を有効に抑制することができる。
【実施例１】
【００２９】
リブの配置による打球音への影響を調査する実験を行なった。実験の手順は以下の通りである。まず、図５〜図９に基づいて説明した上記実施の形態１と同様のヘッド１において、フロントリブ７１、トゥリブ７２、バックリブ７３、ソールリブ７４およびヒールリブ７５をいずれも形成しないヘッドを準備した（比較例Ａ）。一方、本発明のヘッドの一例として、比較例Ａのヘッドにバックリブ７３を形成したもの（実施例Ｄ）、実施例Ｄのヘッドにソールリブ７４を追加したもの（実施例Ｃ）、実施例Ｃのヘッドにトゥリブ７２およびヒールリブ７５を追加したもの（実施例Ｂ）および実施例Ｂのヘッドにフロントリブ７１を追加することにより上記実施の形態１と同様の構造としたもの（実施例Ａ）についても準備した。そして、上記実施例Ａ〜Ｄおよび比較例Ａのヘッド１の打球音を実測した。なお、本実験においては、案内溝２０に重量体４１を取り付けることなく打球音の測定を行なった。
【００３０】
次に、図１２〜図１６を参照して実験結果を説明する。ここで、図１２〜図１６においては、横軸は打球音の周波数、縦軸は音圧を示している。また、図１２〜図１６において、周波数２０００〜３０００Ｈｚの領域、特に低周波数側に、他の領域に比べて突出したピークが存在する場合、打球音が良好ではないことが分かっている。
【００３１】
図１２を参照して、リブが形成されなかった比較例Ａの場合、周波数２０００〜３０００Ｈｚの低周波側の領域に、他の領域に比べて突出したピークが確認される。すなわち、比較例Ａの打球音は好ましいとはいえない。これに対し、図１３〜図１５を参照して、比較例Ａのヘッドにリブを追加した実施例Ｂ、ＣおよびＤの場合、周波数２０００〜３０００Ｈｚの領域に、他の領域に比べて突出したピークが確認されるものの、当該ピークの位置が高周波側にシフトしている。このことから、ソール・サイド部を構成する壁面から突出し、案内溝を構成する壁面に接続されたリブを形成することにより、案内溝の形成に伴う打球音への悪影響を抑制できるといえる。また、図１６を参照して、さらにリブを追加することにより実施の形態１と同様にリブが配置された実施例Ａでは、実施例Ｂ〜Ｄと比較して、周波数２０００〜３０００Ｈｚの領域におけるピークが抑制されており、案内溝の形成に伴う打球音への悪影響を抑制する効果が特に高いといえる。
【００３２】
また、上記実施例Ａ〜Ｄおよび比較例Ａのヘッドについて、複数の試打者による試打を実施し、当該試打者による打球音の評価を確認する実験を行なった。実験結果を表１および表２に示す。
【００３３】
【表１】
2011010722.tif 000003
【００３４】
【表２】
2011010722.tif 000004
【００３５】
表１は日本において実施した日本人による打球音の評価結果を示している。また、表２は、米国において実施した米国人による打球音の評価結果を示している。表１および表２において、打球音が特に良好であると評価された場合をＡ、打球音が良好であると評価された場合をＢ、打球音が良好ではないと評価された場合をＣ、打球音が明らかに悪いと評価された場合をＤと表示している。
【００３６】
表１および表２を参照して、リブを形成しなかった比較例Ａ（本発明の範囲外）については、全ての試打者が、打球音が明らかに悪いと評価している。これに対し、比較例Ａのヘッドにリブを追加した実施例Ｂ、ＣおよびＤについては、全ての試打者が比較例Ａに比べて打球音が改善したと判断している。特に、日本人に比べてヘッドスピードの速い米国人の評価においては、打球音の改善がより明確に体感されている。さらに、実施の形態１と同様にリブを配置した実施例Ａについては、全ての試打者が、打球音が特に良好であると評価している。以上の結果より、ソール・サイド部を構成する壁面から突出し、案内溝を構成する壁面に接続されたリブを形成することにより、案内溝の形成に伴う打球音への悪影響を抑制されること、および実施の形態１と同様にリブを配置することにより、さらに打球音が改善することが確認される。また、本発明の効果は、ヘッドスピードの高い使用者において、より明確に体感されるといえる。
【実施例２】
【００３７】
リブの最適な形状を調査する実験を行なった。実験の手順は以下の通りである。図１７に示すように、上記実施の形態１の場合と同様の位置に配置されたバックリブが形成されたヘッドにおいて、当該リブの一部を除去して軽量化する場合を想定し、打球音の改善に重要な部分を残存させる観点から好ましいリブの形状を導出するシミュレーションを実施した。
【００３８】
具体的には、図１７の形状を有するリブにおいて、打球音の１次モード（周波数２０００〜３０００Ｈｚの領域）の音圧低減に対する寄与の小さい領域から順に除去していき、それぞれ４０％、６０％および８０％の質量に相当する領域を除去する場合に、残存させるべき領域を算出した。
【００３９】
次に、図１８および図１９を参照して実験結果を説明する。図１８および図１９において、第１領域９０は上記音圧低減への寄与が最も小さい領域であり、４０％の質量に相当する領域を除去する場合に除去されるべき領域である。そして、第２領域９１、第３領域９２および第４領域９３の順に上記音圧低減への寄与度が上昇し、それぞれ４０％、６０％および８０％の質量に相当する領域を除去する場合（すなわち、除去率４０％、６０％および８０％の場合）において残存させるべき領域を示している。
【００４０】
図１８を参照して、バックリブ７３において、ソール・サイド部およびクラウン部を構成する壁面に接触する縁部に沿った領域は、上記音圧低減への寄与が大きいことが分かる。一方、上記縁部の両端部に挟まれる領域の中央部は、上記音圧低減への寄与が小さい。このことから、打球音への悪影響を抑制するという機能を十分に維持しつつ、リブの形成に伴うヘッドの質量増加を抑制するためには、リブは図１９の破線９４で囲まれた形状、すなわち延在方向において凹形状（三日月状の形状）を有していることが好ましいといえる。なお、上記傾向は、バックリブに限られず、フロントリブなど他のリブにおいても同様であることが確認されている。また、上記シミュレーションにおいては除去率が８０％を超える場合については取り扱っていない。これは、発明者による検討の結果、除去率が８０％を超える場合、案内溝と案内溝以外の領域とを強固に接続するはたらきが小さくなり、案内溝の形成に伴う打球音への悪影響を抑制する効果が小さくなることが分かっているためである。したがって、リブの形成による効果を確実に得るためには、除去率は８０％以下とすることが好ましい。さらに、リブの形成による効果をより明確に得るためには、除去率は６０％以下とすることが好ましい。一方、リブの一部を除去することによる軽量化の効果を十分に得るためには、除去率は４０％以上とすることが好ましい。すなわち、上記除去率は４０％以上６０％以下とすることが最も好ましい。
【００４１】
上記実施の形態および実施例においては、ソール・サイド部に形成される案内溝の形状が平面的に見てＶ字形状（Ｕ字形状あるいは馬蹄形状ともいえる）である場合について説明したが、本発明のゴルフクラブヘッドおよびゴルフクラブはこれに限られない。たとえば、本発明のゴルフクラブヘッドに形成される案内溝２０の平面形状としては、フェース−バック方向に延びる直線状（図２０参照）、トゥ−ヒール方向に延びる直線状（図２１参照）、２つの直線が交差して形成されるＸ字状（図２２参照）、円環状（図２３参照）など、様々な形状を採用することができる。そして、形成された案内溝２０のソール・サイド部１４を構成する壁面から突出し、案内溝２０を構成する壁面に接続されたフロントリブ７１、トゥリブ７２、バックリブ７３、ソールリブ７４、ヒールリブ７５などのリブを形成することにより、当該案内溝２０の形成に伴う打球音への悪影響を抑制することができる。ここで、リブの形成に関する技術思想は概略以下の通りである。
【００４２】
ソール・サイド部１４に案内溝２０が形成された場合、ヘッド１の内部に、ソール・サイド部１４を構成する壁面から突出し、案内溝２０を構成する壁面に接続されたリブを形成することにより、案内溝２０の形成に伴う打球音への悪影響を抑制することができる。このとき、当該リブは、案内溝２０を構成する壁面と、一般に最も剛性の高い領域であるフェース部１１を構成する壁面とを接続するように、あるいは案内溝２０を構成する壁面と、ソール・サイド部１４とクラウン部１２との境界を構成する壁面とを接続するように形成することが好ましい。また、当該リブは、案内溝２０の長手方向の端部を構成する壁面に接続されることにより、有効に打球音への悪影響を抑制することができる。したがって、図６および図２０〜図２３を参照して、案内溝２０の長手方向の端部と、フェース部１１とを接続するフロントリブ７１、案内溝２０のトゥ側の領域と、当該領域に対向するソール・サイド部１４とクラウン部１２との境界とを接続するトゥリブ７２、および案内溝２０のヒール側の領域と、当該領域に対向するソール・サイド部１４とクラウン部１２との境界とを接続するヒールリブ７５を形成することが好ましい。
【００４３】
また、案内溝２０の平面形状が湾曲している場合や、枝分かれしている場合のように、案内溝２０によって挟まれる領域や案内溝２０によって囲まれる領域が形成される場合、当該領域を横断するように当該領域を挟む案内溝２０を接続するソールリブ７４を形成することが好ましい。さらに、案内溝２０のバック側の領域と、当該領域に対向するソール・サイド部１４とクラウン部１２との境界とを接続するバックリブ７３を形成することにより、打球音が一層改善される。以上のような観点と、リブの形成に伴うヘッド１の質量の増加とのバランスとを考慮し、リブの配置を決定することができる。
【００４４】
さらに、リブの形状については、ヘッド１の質量の増加を抑制する観点から、板状の形状が採用されることが好ましい。そして、更なるヘッド１の軽量化を達成するため、リブは、延在方向において凹形状を有していることが好ましい。以上のような技術思想に基づき、ヘッド１の質量の増加を抑制しつつ、案内溝２０の形成に伴う打球音への悪影響を有効に抑制することができる。
【００４５】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００４６】
本発明のウッド型ゴルフクラブヘッドおよびウッド型ゴルフクラブは、打球音への悪影響を抑制しつつ重心位置を変更することが求められるウッド型ゴルフクラブヘッドおよびウッド型ゴルフクラブに、特に有利に適用することができる。
【符号の説明】
【００４７】
１  ヘッド、２  シャフト、３  グリップ部、９  ゴルフクラブ、１１  フェース部、１１Ａ  打球面、１２  クラウン部、１３  ホーゼル部、１４  ソール・サイド部、２０  案内溝、２１  主溝、２２  接続溝、２３  スロット、３１  スロットキャップ、４１  重量体、４２  ねじ、７１  フロントリブ、７２  トゥリブ、７２Ａ  第１トゥリブ、７２Ｂ  第２トゥリブ、７２Ｃ  縁部、７２Ｄ  稜線部、７３  バックリブ、７３Ｃ  縁部、７３Ｄ  稜線部、７４  ソールリブ、７５  ヒールリブ、７５Ａ  第１ヒールリブ、７５Ｂ  第２ヒールリブ、９０  第１領域、９１  第２領域、９２  第３領域、９３  第４領域。
【図１】
2011010722.tif 000005
【図２】
2011010722.tif 000006
【図３】
2011010722.tif 000007
【図４】
2011010722.tif 000008
【図５】
2011010722.tif 000009
【図６】
2011010722.tif 000010
【図７】
2011010722.tif 000011
【図８】
2011010722.tif 000012
【図９】
2011010722.tif 000013
【図１０】
2011010722.tif 000014
【図１１】
2011010722.tif 000015
【図１２】
2011010722.tif 000016
【図１３】
2011010722.tif 000017
【図１４】
2011010722.tif 000018
【図１５】
2011010722.tif 000019
【図１６】
2011010722.tif 000020
【図１７】
2011010722.tif 000021
【図１８】
2011010722.tif 000022
【図１９】
2011010722.tif 000023
【図２０】
2011010722.tif 000024
【図２１】
2011010722.tif 000025
【図２２】
2011010722.tif 000026
【図２３】
2011010722.tif 000027